(57)【要約】      （修正有）【課題】ミラー部がライト部によって隠れることなく、ミラー部の全体を見ることができるライト付検査ミラーとなり、しかもライト部の取り付け位置を第一ライト取付部と第二ライト取付部とから選択でき、必要に応じライト部を基端側に設けてこのライト付検査ミラー使用時における操作性を良くする場合、ミラー部近くに設けて検査対象箇所を照らすライト光が明るくなるようにする場合とのいずれにも対応できる非常に実用性の高いライト付検査ミラーを提供する。【解決手段】前記ポール部１の基端部に前記ライト部３を着脱自在に装着し得る第一ライト取付部４を設け、前記ミラー部２の側方に前記ライト部３を着脱自在に装着し得る第二ライト取付部５とを設けてライト装着位置を選択可能な構成としたライト付検査ミラー。【選択図】図１
0003146284.tif 000002
【実用新案登録請求の範囲】
【請求項１】
ポール部と、ミラー部と、ライト部とを有し、前記ポール部の先端に前記ミラー部を設けたライト付検査ミラーであって、前記ポール部の基端部に前記ライト部を着脱自在に装着し得る第一ライト取付部を設け、前記ミラー部の側方に前記ライト部を着脱自在に装着し得る第二ライト取付部とを設けてライト装着位置を選択可能な構成とし、前記第一ライト取付部に前記ライト部を装着した際には、このライト部から発せられるライト光がミラー部を介して検査対象箇所を照射し得ると共に、前記第二ライト取付部にライト部を装着した際には、このライト部から発せられるライト光が検査対象箇所を直接照射し得る構成としたことを特徴とするライト付検査ミラー。
【請求項２】
前記ポール部は伸縮自在となる構成とし、前記ミラー部と前記第一ライト取付部と前記第二ライト取付部とは夫々角度調整自在となる構成としたことを特徴とする請求項１記載のライト付検査ミラー。
【請求項３】
前記ポール部の先端且つ正面視前方に前記ミラー部を設け、前記第一ライト取付部を前記ポール部の基端部に上下にスライド自在となる構成とすると共に、この第一ライト取付部に設けた前記ライト部の位置を、前記ミラー部を覗く視線上に前記ライト部が入らない前記ポール部の基端部の側方位置に角度調整自在に設ける構成としたことを特徴とする請求項１，２のいずれか１項に記載のライト付検査ミラー。
【請求項４】
前記ポール部の先端に設けた前記ミラー部を着脱自在となる構成とし、このミラー部を前記ポール部の先端から取り外してこのポール部の先端に第二ライト取付部を取り付け得る構成とすることを特徴とする請求項１〜３のいずれか１項に記載のライト付検査ミラー。
【請求項５】
前記ポール部の先端に着脱自在にミラー取付部設け、このミラー取付部に前記ミラー部を設けると共に、このミラー取付部の側部に着脱自在に前記第二ライト取付部を取り付け得る接続部を設けて、この接続部を介して前記第二ライト取付部を前記ミラー取付部の側部に取付け得る構成とし、且つ前記ポール部の先端から前記ミラー取付部を取り外した際には、前記接続部を先端部に有した専用取付部を前記ポール部の先端に取り付ける構成として、この専用取付部を介して前記第二ライト取付部を前記ポール部に前記ミラー取付部を介さずに接続可能な構成としたことを特徴とする請求項４記載のライト付検査ミラー。
【請求項６】
前記ポール部の先端面にポール先端部螺子孔を設け、前記ポール先端部螺子孔に前記ミラー取付螺子を螺着することにより、前記ポール部の先端に着脱自在に前記ミラー取付部を設け、このミラー取付部の側部に前記接続部としての螺子受け部を設け、前記第二ライト取付部の先端部をライト取付螺子とし、前記螺子受け部にこのライト取付螺子を螺着させることにより、前記螺子受け部を介して前記第二ライト取付部を前記ミラー取付部の側部に回動自在に取付け得る構成とし、且つ前記ポール部の先端から前記ミラー取付部を取り外した際には、前記接続部としての前記螺子受け部を先端部に有した専用取付部の取付螺子を前記ポール部の先端の前記ポール先端部螺子孔に取付けることにより、この専用取付部を介して前記第二ライト取付部をポール部に回動自在に接続可能な構成としたことを特徴とする請求項５記載のライト付検査ミラー。
【請求項７】
前記ミラー部をステンレス素材で形成した構成としたことを特徴とする請求項１〜６のいずれか１項に記載のライト付検査ミラー。
【考案の詳細な説明】
【技術分野】
【０００１】
本考案は、例えば下水道管を検査するためのライト付検査ミラーである。
【背景技術】
【０００２】
下水道管等の配管は、ライフラインの一つであり、常に正常に作動していることが当然のことであるかのように強く望まれているが、このように常に下水道管を正常な状態に維持するためには、日本中に張り巡らされた下水道管を逐次点検し、下水道管に亀裂や損傷が無いかどうか、ゴミや石など流水の妨げになるものが存在しないかどうかを確認し、障害物の除去や下水道管の補修を行う必要がある。従って、下水道管の検査は、確実にしかも効率良く検査できることが望まれている。
【０００３】
しかしながら、簡易な方法である地上からの目視では、多くの部分が地中に埋設され入り組んだ構造となっている下水道管を確実に検査できない。また、下水道管内はマンホールの蓋を開口しても十分な自然光が入らず点検が困難である。
【０００４】
一方、直接下水道管内へ入り込み検査したのでは極めて効率が悪く、更に、この下水道管内には有毒ガス等が溜まっていることもあり、ガス中毒や酸欠の恐れもあるため危険を伴う。また、大雨時には下水道管内の水位は急激に上昇することとなるので危険を伴うこともある。
【０００５】
そこで、図１４に示すようなライト付ミラーが市販されている。
【０００６】
この従来型ライト付検査ミラーの構成につき詳述すると、この従来型ライト付検査ミラーは、ポール部51と、ミラー部52と、ライト部53とを有し、ポール部51の先端にミラー部51を設け、前記ライト部53をポール部51の先端部且つ前記ミラー部52のやや上方となる位置に設け、このライト部53から発せられるライト光がミラー部52を介して検査対象箇所を照射できる構成である。
【０００７】
従って、下水道管の検査時に、検査員は、下水道管内へ入り込むことなく、地上にて検査可能となるため、安全且つ効率的に検査ができ、しかも下水道管内部をミラー部52により確実に確認でき、しかも、ポール部51の基端部を持ち上方からミラー部52を覗き込む検査員の視線方向と略同じ方向にライト部53からのライト光を当てることにより、ライト部53からの反射光は検査員が鏡で覗く検査対称箇所近傍を照射することとなり、検査対象箇所をより確実に確認できることとなる秀れたライト付ミラーである。
【考案の開示】
【考案が解決しようとする課題】
【０００８】
しかしながら、この従来品ライト付ミラーは、検査員がミラー部52を覗くと、この検査員がミラー部52を覗く視線上にミラー部52の上方に設けられたライト部が入り、このライト部53に隠れてミラー部53の全体を見ることができず、検査しづらいという問題点が生じていた。
【０００９】
更に、この従来品はライト部53がポール部51の先端部に設けられているから、ポール部51の先端側が重くなり、ポール部51の基端部を持ちミラー部52を移動させたり所望の向きに向けようとしても素早く動かし難く、また手も疲れ易く、ライト付検査ミラーの操作性にも問題があった。
【００１０】
本考案は、上述した問題点を見い出してこれを解決するもので、ミラー部がライト部によって隠れることなく、ミラー部の全体を見ることができ、しかもライト部の取り付け位置を第一ライト取付部と第二ライト取付部とから選択でき、必要に応じライト部を基端側に設けてこのライト付検査ミラー使用時における操作性を良くする場合、ミラー部近くに設けて検査対象箇所を照らすライト光が明るくなるようにする場合とのいずれにも対応できる非常に実用性の高いライト付検査ミラーを提供することを目的とする。
【課題を解決するための手段】
【００１１】
添付図面を参照して本考案の要旨を説明する。
【００１２】
ポール部１と、ミラー部２と、ライト部３とを有し、前記ポール部１の先端に前記ミラー部２を設けたライト付検査ミラーであって、前記ポール部１の基端部に前記ライト部３を着脱自在に装着し得る第一ライト取付部４を設け、前記ミラー部２の側方に前記ライト部３を着脱自在に装着し得る第二ライト取付部５とを設けてライト装着位置を選択可能な構成とし、前記第一ライト取付部４に前記ライト部３を装着した際には、このライト部３から発せられるライト光がミラー部２を介して検査対象箇所を照射し得ると共に、前記第二ライト取付部５にライト部３を装着した際には、このライト部３から発せられるライト光が検査対象箇所を直接照射し得る構成としたことを特徴とするライト付検査ミラーに係るものである。
【００１３】
また、前記ポール部１は伸縮自在となる構成とし、前記ミラー部２と前記第一ライト取付部４と前記第二ライト取付部５とは夫々角度調整自在となる構成としたことを特徴とする請求項１記載のライト付検査ミラーに係るものである。
【００１４】
また、前記ポール部１の先端且つ正面視前方に前記ミラー部２を設け、前記第一ライト取付部４を前記ポール部１の基端部に上下にスライド自在となる構成とすると共に、この第一ライト取付部４に設けた前記ライト部３の位置を、前記ミラー部２を覗く視線上に前記ライト部３が入らない前記ポール部３の基端部の側方位置に角度調整自在に設ける構成としたことを特徴とする請求項１，２のいずれか１項に記載のライト付検査ミラーに係るものである。
【００１５】
また、前記ポール部１の先端に設けた前記ミラー部２を着脱自在となる構成とし、このミラー部２を前記ポール部１の先端から取り外してこのポール部１の先端に第二ライト取付部５を取り付け得る構成とすることを特徴とする請求項１〜３のいずれか１項に記載のライト付検査ミラーに係るものである。
【００１６】
また、前記ポール部１の先端に着脱自在にミラー取付部６設け、このミラー取付部６に前記ミラー部２を設けると共に、このミラー取付部６の側部に着脱自在に前記第二ライト取付部５を取り付け得る接続部７を設けて、この接続部７を介して前記第二ライト取付部５を前記ミラー取付部６の側部に取付け得る構成とし、且つ前記ポール部１の先端から前記ミラー取付部６を取り外した際には、前記接続部７を先端部に有した専用取付部８を前記ポール部１の先端に取り付ける構成として、この専用取付部８を介して前記第二ライト取付部５を前記ポール部１に前記ミラー取付部６を介さずに接続可能な構成としたことを特徴とする請求項４記載のライト付検査ミラーに係るものである。
【００１７】
また、前記ポール部１の先端面にポール先端部螺子孔９を設け、前記ポール先端部螺子孔９に前記ミラー取付螺子10を螺着することにより、前記ポール部１の先端に着脱自在に前記ミラー取付部６を設け、このミラー取付部６の側部に前記接続部７としての螺子受け部７を設け、前記第二ライト取付部５の先端部をライト取付螺子11とし、前記螺子受け部７にこのライト取付螺子11を螺着させることにより、前記螺子受け部７を介して前記第二ライト取付部５を前記ミラー取付部６の側部に回動自在に取付け得る構成とし、且つ前記ポール部１の先端から前記ミラー取付部６を取り外した際には、前記接続部７としての前記螺子受け部７を先端部に有した専用取付部８の取付螺子８Ａを前記ポール部１の先端の前記ポール先端部螺子孔９に取付けることにより、この専用取付部８を介して前記第二ライト取付部５をポール部１に回動自在に接続可能な構成としたことを特徴とする請求項５記載のライト付検査ミラーに係るものである。
【００１８】
また、前記ミラー部２をステンレス素材で形成した構成としたことを特徴とする請求項１〜６のいずれか１項に記載のライト付検査ミラーに係るものである。
【考案の効果】
【００１９】
本考案は上述のように構成したから、ミラー部がライト部によって隠れることなく、ミラー部の全体を見ることができるライト付検査ミラーとなり、しかもライト部の取り付け位置を第一ライト取付部と第二ライト取付部とから選択でき、必要に応じライト部を基端側に設けてこのライト付検査ミラー使用時における操作性を良くする場合、ミラー部近くに設けて検査対象箇所を照らすライト光が明るくなるようにする場合とのいずれにも対応できる非常に実用性の高いライト付検査ミラーを提供できることとなる。
【００２０】
また、請求項２記載の考案においては、下水道管の検査時に、検査対象箇所までポール部を伸ばし、検査対象箇所に合わせミラー部の角度が調整できると共に、動かしたミラー部位置に合わせて若しくは直接検査対象箇所に合わせて、ライト部を動かしライト光を確実に照部に照射することができることとなり、より確実に検査対象箇所を検査することができることとなる。
【００２１】
また、請求項３記載の考案においては、第一ライト取付部の取付位置をスライドさせてポール部の基端部にライト部を設けても、操作性の良さは少し悪くなるが、検査対象箇所に照射するライト光の強さを強くすることができ、操作性の良さと検査対象箇所を照射するライト光の強さとの双方を得ることができると共に、ライト位置を下方へスライドさせても、このライト部がミラー部を覗く視線上に入らず、ミラー部が見やすい状態を維持できることとなる。
【００２２】
また、請求項４記載の考案においては、ライト部の取付箇所を選択できるだけでなくライト部だけでも使用することもできることとなる多機能なライト付検査ミラーをしかもコスト安に提供できることとなる。
【００２３】
また、請求項５記載の考案においては、極めて簡易な方法により、請求項４の作用・効果を実現できることとなる。
【００２４】
また、請求項６記載の考案においては、より簡易な方法により請求項５の作用・効果を実現できると共に、第二ライト取付部をミラー部の側方に設けて使用する場合にもポール部の先端に直接取り付けて使用する場合にもライト光を検査対象箇所に照射でき、より確実に検査対象箇所を検査できることとなる。
【００２５】
また、請求項７記載の考案においては、ミラー部に大きな力が加わった際にもこのミラー部の破損の危険がなく、しかもミラー部を容易に製造できることとなる。
【考案を実施するための最良の形態】
【００２６】
好適と考える本考案の実施形態（考案をどのように実施するか）を、図面に基づいて本考案の作用を示して簡単に説明する。
【００２７】
下水道間の検査時における優先事項によって、ミラー部２がライト部３によって隠れることなく、ミラー部２の全体を見ることができるライト付検査ミラーであって、ライト部３の取り付け位置を第一ライト取付部４と第二ライト取付部５とから選択でき、必要に応じこのライト付検査ミラー使用時における操作性の良さと、検査対象箇所を照らすライト光の明るさとのいずれにも対応できる。
【００２８】
まず、第一ライト取付部４にライト部３を装着してライト付検査ミラーを使用する場合について説明する。
【００２９】
第一ライト取付部４を選択することとして、この第一ライト取付部４にライト部３を装着した際には、ライト部３がポール部１の基端部に位置することとなり、検査員がポール部１の基端部を握り、このポール部１越しにミラー部２を覗くと、ミラー部２を覗く視線上にライト部３が入ることがなく、ミラー部２がライト部３によって隠れることなくミラー部２の全体が見え、検査し易いライト付検査ミラーとなる。
【００３０】
また、ライト部３がポール部１の基端部となるため、従来品及び第二ライト取付部５を使用した場合に比し、ライト部３から検査対象箇所の距離が長くなるため、この検査対象箇所を照らすライト光の明るさは劣るものの、従来品及び第二ライト取付部５を使用した場合に比し、ポール部１の先端が軽くなるから、ポール部１の先端にあるミラー部２を動かしやすくなり、極めて操作性の良いライト付検査ミラーとなる。
【００３１】
従って、例えば、下水道管の詰まりなど広域を対象にミラー部２を大きく動かして検査する場合など、このライト付検査ミラーの操作性の良さが必要となる場合には、この第一ライト取付部４を使用すると良い。
【００３２】
また、第一ライト取付部４は、従来品や第二ライト取付部５に比し、検査対象箇所を照らすライト光の明るさは弱いが、ライト部３から発せられるライト光がミラー部２を介して検査対象箇所を照射するため、検査員がミラー部２を覗き込むと、検査員の視線が必然的にライト部３の上部からこのライト部３の光の進路と同じ方向に注がれることとなり、ライト部３の光源７から照射された光は検査員がミラー部２を介して観察している点検箇所と同じ箇所を照射することとなるので、限られた光を効率的に使用して確実に検査対象箇所を照らすことができることとなる。
【００３３】
更に、ポール部１の長さを長くしてもライト部３の重さがミラー部２の位置や方向を操作する操作性に何ら影響を及ぼさないため、より長いポール部１のライト付検査ミラーを提供きでることとなる。
【００３４】
即ち、第一ライト取付部４を使用すれば、検査時にミラー部２の全体を見ることができると共に、広い検査対象箇所を素早く検査できることとなり、例えば下水道管内の大きな詰まりを検査する際等に大きな効果を発揮することとなる。
【００３５】
次に、第二ライト取付部５にライト部３を装着してライト付検査ミラーを使用する場合について説明する。
【００３６】
ライト部３を、従来品のようにライト部３をミラー部２のやや上方に設けこのライト部３からの光をミラー部２を介して検査対象箇所に照射するとするのではなく、このライト部３の光を直接検査対象箇所に照射する構成とするから、ライト部３をミラー部２の上方に設ける必要がなくなり、ミラー部２の側方に設けることが可能となる。従って、ライト部３をミラー部２の側方に設けることにより、検査員が検査時においてミラー部２を覗き込んでも、この検査員の視線上にライト部３が入ることがなく、即ち、ミラー部２がライト部３によって隠れることがなく、ミラー部２の全体を見ることができるライト付検査ミラーとなる。
【００３７】
また、ライト部３の側方、即ちポール部１の基端側に位置しているので、操作性においては従来品と略同等で第二ライト取付部５に比しては低くなるが、ライト部３から発せられるライト光をミラー部２の側部から検査対象箇所を直接照射できるので、この従来品を使用する場合及び第二ライト取付部５にライト部３を装着して使用する場合に比し、検査対象箇所をより明るく照らすことが可能となると共に、ライト部２から発せられた光が検査員の目に届くまでの距離も短くなり、検査対象箇所をより明るく照らし、より鮮明に見ることができることとなる。
【００３８】
即ち、第二ライト取付部５にライト部３を取り付ければ、検査時にミラー部２の全体を見ることができると共に、検査対象箇所をより明るく照らし、より鮮明に見ることができることとなり、例えば、下水道管内に亀裂か汚れかの区別が難しい箇所が見つかった等、先端部を大きく動かし必要がなく検査対象箇所を照射するライト光の明るさが必要な、細部の観察の際により大きな効果を発揮することとなる。
【００３９】
以上のように、本考案のミラー付ライト装置を用いれば、ミラー部２がライト部３によって隠れることなく、ミラー部２の全体を見ることができるライト付検査ミラーであって、ライト部３の取り付け位置を第一ライト取付部４と第二ライト取付部５とから選択でき、必要に応じこのライト付検査ミラー使用時における操作性の良さを重視する場合と、検査対象箇所を照らすライト光の明るさを重視する場合とのいずれにも対応できる非常に実用性の高いライト付検査ミラーとなる。
【実施例】
【００４０】
本考案の具体的な実施例について図面に基づいて説明する。
【００４１】
本考案のライト付検査ミラーは、下水道管内に差し込み、ライト部の光を検査対象箇所に照射すると共に、検査対象箇所をミラー部３に反射させ、このミラー部を介して検査対象箇所を見ることにより検査対象箇所の検査を行なうものである。第二ライト取付部５を使用した例を図１３に示す。
【００４２】
具体的な構成は、図１に示ように、ミラー部２と、ライト部３とを有し、前記ポール部１の先端に前記ミラー部２を設けたライト付検査ミラーであって、前記ポール部１の基端部に前記ライト部３を着脱自在に装着し得る第一ライト取付部４を設け、前記ミラー部２の側方に前記ライト部３を着脱自在に装着し得る第二ライト取付部５とを設けてライト装着位置を選択可能な構成とする。
【００４３】
即ち、図１及び図３に示すように、前記ポール部１の基端部に第一ライト取付部４を、また、前記ミラー部２の側方に第二ライト取付部５を設け、いずれの位置にライト部３を装着するかを選択できる構成である。
【００４４】
ライト体３は、高光度、大光量を有する小型ハンドライトとし、単独でも使用できるものとする。具体的には、ライト体のスイッチ20をライト体後部に設けて、ライト体３の握持部を取付固定とする。尚、ライト体３は、このライト体３のみでも使用できる。
【００４５】
このライト部３は、第一ライト取付部４として設けたライト保持部15と、第二ライト取付部５として設けたライト保持部17により取付固定するが、ライト締付螺子14，16を緩めることによりライト部３をこのライト部３を保持するライト保持部15，17から取り外すことができ、前記ライト締付螺子14，16を締付けることによりライト部３を前記ライト保持部15，17に締付固定することが可能となる。また、ライト部３の取付後、このライト部３の握持部21にライト部３脱落防止用のＯリング13を嵌めることとする。
【００４６】
また、スイッチ20をライト体３の後部に設けたことにより、このライト部３を第一ライト取付部４若しくは第二ライト取付部５に取付けた際にも、前記スイッチ21を容易に操作できることとなる。
【００４７】
また、本実施例では、前記第一ライト取付部４に前記ライト部３を装着した際には、このライト部３から発せられるライト光がミラー部２を介して検査対象箇所を照射し得ると共に、前記第二ライト取付部５にライト部３を装着した際には、このライト部３から発せられるライト光が検査対象箇所を直接照射し得る構成とする。
【００４８】
具体的には、ポール部１の基端部に設けられた前記第一ライト取付部４にライト部３を装着した際に、ライト部３の取り付け角度を、ミラー部３を照射できる角度に角度調整し得る構成として、このライト部３から発せられた光がミラー部２を介して（ミラー部２に反射して）、検査対象箇所を照射し得ることとする。
【００４９】
また、ミラー部２の側方に設けた前記第二ライト取付部５にライト部３を装着した際には、このライト部３の光源をミラー面が向く方向である検査対象箇所に向け、このライト部３から発せられるライト光が検査対象箇所を直接照射し得る構成とする。尚、ミラー部２とライト部３とをポール部１に対し一定角で角度固定した構成としても良く、回動自在に設けたミラー部２の側方且つ隣接位置にライト部３をこのミラー部３のミラー面と略垂直となる方向に固定して、このライト部３がミラー部２と連動して回動する構成としても良く、ライト部３とミラー部とが独立して回動する構成としても良い。
【００５０】
本実施例では、ポール部１とミラー部２と第一ライト取付部４と第二ライト取付部５との具体的な構成を、前記ポール部１を伸縮自在となる構成とし、前記ミラー部２と前記第一ライト取付部４と前記第二ライト取付部５とは夫々角度調整自在となる構成とする。
【００５１】
ポール部１は、径大のポールに径小のポールをスライド自在に嵌入し、このポールに対し一方向に回転するとポールがスライド不能状態にロックされ、逆方向に回転するとポールが伸縮可能となるスライド・ロック構造を備えた長さ調節部12を設け、検査時の必要長さに応じ長さ調整可能な構成とする。また、ポール部１の側面には上下方向に溝部（図５参照）を設け、この溝部をガイドとして長さ調整時に上下のポール部が互いに回動しない構成とする。また、この溝に後述する、第一ライト取付部４をポール部１に固定するためのポール締付螺子19の先端を合わせ、回動止めとする。従って、第一ライト取付部４がポール部１を中心に回動せず、ライト位置を確りと保持できることとなる。
【００５２】
また、ミラー部２は、ポール部１の先端にミラー取付部６を介して回動自在に取り付けることとする。
【００５３】
このミラー取付部６は、図７，８に示すように、金属製の板材を折り曲げ成形してコ字状とする。
【００５４】
また、このコ字状のミラー接続部６は側面視がＬ字状となるように構成する。
【００５５】
このミラー接続部６の中央部には、ポール部１接続用の貫通孔22を設ける。
【００５６】
また、このミラー接続部６の片側側面の角部に、第二ライト取付部５を取り付け得る接続部７としての螺子受け部７を設ける。具体的には、貫通孔７を設ける。
【００５７】
また、ミラー接続部６の側面端部の対向位置にミラー部３取り付け用の貫通孔23，24を設ける。また、この２つの貫通孔のうち片側面の貫通孔24には、外方からナット25を固着する。
【００５８】
ポール部１の先端面にはポール螺子孔９を設け、このポール螺子孔９に前記ポール接続用の貫通孔22を合致させ、ミラー取付螺子10を螺着することにより、ミラー接続部６をポール部１に固定する。
【００５９】
また、ミラー部２は、ミラー部２の側部に突起部を有する構成として、この突起部26にミラー面と平行となる方向に貫通する貫通孔27を設けて、この突起部26をミラー接続部６に嵌合して、突起部26に設けた貫通孔27をミラー接続部６の側面端部の対向位置に設けたミラー部３取り付け用の貫通孔23，24に合致させ、この連通孔に蝶螺子28を貫挿し、この蝶螺子28を前記ナット25に螺着することにより、ミラー部２をミラー接続部６に設ける。
【００６０】
蝶螺子28の締付け圧により、ミラー部３には適当な回動抵抗が生じ、手動により適宜角度まで角度調整自在且つ適宜位置で位置固定されることとなる。
【００６１】
第一ライト取付部４部の構成は、図５，６に示すように、ポール部１の基端部に、スライド移動自在に円筒形のポール保持部29を被嵌し、このポール保持部29の側部に凹部30を形成するが、この凹部30は２つの壁部を突設し、ライト保持部15に凸部31を設け、この凹部30に凸部31を差し込み蝶螺子32により固定し、この蝶螺子32を支点にライト保持部15が回動自在且つ角度調整自在となる。従って、ライト部３も角度調整自在となる。尚、符号33は平ワッシャーである。
【００６２】
また、ポール保持部29には、締付螺子19を締付けることにより、ポール部１上に固定する。また、この締付螺子19の先端部を、前記ポール部１に設けた溝部18に差し込むことにより、この筒状のポール保持部29がポール部１に対して回動することを防ぐことができることとなり、所望位置に確実に固定することが可能となる。
【００６３】
第二ライト取付部５の構成は、図７，８に示すように、ライト保持部17の側面に円筒形の筒部35を設けこの筒部35の先端部にライト取付螺子11を設け、このライト取付螺子11を前述したミラー取付部６の側面に設けた螺子受け部７としての貫通孔７に挿入して、平ワッシャー36及びウェーブワッシャー37を挟み込みながらナット38により螺着する。
【００６４】
この構成により、この第一ライト取付部４が前記螺子切り部26を軸として回動自在且つ角度調整自在となる。また、ウェーブワッシャー37のバネ付勢により、通常使用時にかかる力では回動しないが、手動で回動可能な構成を実現できる。
【００６５】
従って、検査対象箇所に応じてポール部１の長さを調整し、ミラー部の角度を調整し、ライトの光を所望位置調整することが可能となり、検査対象箇所を確実に検査することができることとなる。
【００６６】
更に、本考案は、ポール部１の先端且つ正面視前方にミラー部２を設け、前記ライト部３を前記ポール部１の基端部に所定幅で上下にスライド自在となる構成とすると共に、このライト部３の位置を前記ミラー部２を覗く視線上に前記ライト部３が入らない前記ポール部３の側方位置に角度調整自在に設ける構成とする。
【００６７】
具体的には、前記第一ライト取付部４は前記したポール保持部29に設けたポール締付螺子19を緩めることによりスライト可能となり、このポール締付螺子19の締め付けにより所望箇所に固定される構成とする。また、このポール保持部は、ポール部上に設けられた長さ調節部12の位置までスライド自在となる構成とする。
【００６８】
また、前述した第一ライト取付部４のライト保持部15を、正面視前方にミラー部２を見た際に、ポール部１の側方となる位置に設けて、ライト部３がポール部１の側方位置となる構成とする。
【００６９】
また、第一ライト取付部４は前述した構成により、角度調整自在とする。
【００７０】
更に、本実施例は、図９〜１１に示すように、前記ポール部１の先端に設けた前記ミラー部２を着脱自在となる構成とし、このミラー部２を前記ポール部１の先端部から取り外してこのポール部１の先端に第二ライト取付部５を取り付け得る構成とする。
【００７１】
具体的には、前述してきた構成に加え、別体となる専用取付部８を使用する。
【００７２】
この専用取付部８は、第二ライト取付部５に設けた接続部７と同じ形状の螺子受け部７を先端部に有した構成とする。具体的には、この螺子受け部７は貫通孔７とする。
【００７３】
第二ライト取付部５を単独で使用する場合には、まず、前述したミラー取付螺子10を外すことによりミラー接続部６と共にミラー部２をポール部１から外す。
【００７４】
次に、ポール部１の先端部に設けたポール先端部螺子孔９に、前記専用取付部８を螺着させることにより、ポール部１の先端に取り付ける。この専用取付部８に前記第二ライト取付部５のライト取付螺子を挿入して、平ワッシャー36，及びウェーブワッシャー37を挟み込みながらナット38で螺着することにより、この専用取付部８を介して前記第二ライト取付部５をポール部１に回動自在に接続可能な構成とする。
【００７５】
即ち、ポール部１からミラー部２を取り外し、ライト部３のみを装着できるから、ライト部３の取付箇所を選択できるだけでなくライト部３だけでも使用することもできることとなる多機能なライト付検査ミラーを提供でき、更に全体としての重量はもちろん、操作性に大きく影響を及ぼす先端部の重量を軽くすることがでるから、非常に操作性が良いものとなる。また、ライト部３のみを使用する構成を、第二ライト取付部５を利用して実現できるので、コスト安に出来ることとなる。
【００７６】
また、本実施例のミラー部２は、図１２に示すように、ライト付検査ミラーの前記ミラー部２をステンレス素材で形成した構成として、更にミラー部形状を方形としても良い。
【００７７】
即ち、通常の鏡は、ガラスを使用したものが一般的であるが、このような通常のミラーは強い衝撃に弱く壊れ易い。従って、ミラー部２の形状も角部のない円形や楕円形などに制限されることとなる。
【００７８】
この点、伸展性を有する金属性のステンレス素材を使用すれば、強い衝撃が加わった際にもこのミラー部２は壊れない（割れない）ので、使用時の取り扱いに注意を払う必要がない。
【００７９】
更に、ステンレス素材は、壊れない（割れない）だけでなく切出し加工が可能であるため、加工が容易に行える。
【００８０】
従って、ステンレス素材を用いることにより、ミラー部２を、高さ及び幅が同じ円形のミラー部に比し反射面が広くなり、より検査（観察）し易い方形のミラー部とすることが可能となる。
【００８１】
尚、本考案は、本実施例に限られるものではなく、各構成要件の具体的構成は適宜設計し得るものである。
【図面の簡単な説明】
【００８２】
【図１】本実施例における第一ライト取付部使用時の説明斜視図である。
【図２】本実施例における第一ライト取付部使用時の説明平面図である。
【図３】本実施例における第二ライト取付部使用時の説明斜視図である。
【図４】本実施例における第二ライト取付部使用時の説明平面図である。
【図５】本実施例における第一ライト取付部の説明拡大図である。
【図６】本実施例における第一ライト取付部の説明分解図である。
【図７】本実施例における第一ライト取付部及びミラー取付部の説明拡大図である。
【図８】本実施例における第一ライト取付部及びミラー取付部の説明分解図である。
【図９】本実施例における一使用態様を示す説明斜視図である。
【図１０】本実施例における一使用態様を示す分解説明図である。
【図１１】本実施例における一使用態様を示す説明斜視図である。
【図１２】ミラー部にステンレスミラーを採用した説明斜視図である。
【図１３】本実施例を示す使用状態図である。
【図１４】従来例を示す説明斜視図である。
【図１５】従来例を示す説明平面図である。
【符号の説明】
【００８３】
１  ポール部
２  ミラー部
３  ライト部
４  第一ライト取付部
５  第二ライト取付部
６  ミラー接続部
７  接続部、螺子受け部
８  専用取付部
８Ａ  取付螺子
９  ポール先端部螺子孔
10  ミラー取付螺子
11  ライト取付螺子
【図１】
0003146284.tif 000003
【図２】
0003146284.tif 000004
【図３】
0003146284.tif 000005
【図４】
0003146284.tif 000006
【図５】
0003146284.tif 000007
【図６】
0003146284.tif 000008
【図７】
0003146284.tif 000009
【図８】
0003146284.tif 000010
【図９】
0003146284.tif 000011
【図１０】
0003146284.tif 000012
【図１１】
0003146284.tif 000013
【図１２】
0003146284.tif 000014
【図１３】
0003146284.tif 000015
【図１４】
0003146284.tif 000016
【図１５】
0003146284.tif 000017